(57)【要約】【課題】波形保持器の強度を向上することができると共に、波形保持器を構成する環状部材をプレス加工で容易に成型することができる波形保持器及び玉軸受を提供する。【解決手段】玉１３を保持するためのポケット形成部２２と柱形成部２３が周方向に略等間隔で交互に形成される一対の環状部材２１と、一対の環状部材２１の柱形成部２３同士を結合するリベット３０と、を備え、柱形成部２３の内周側縁部及び外周側縁部の少なくとも一方に軸方向外側に延びるリブ２４が形成され、リブ２４の高さＨが、リベット３０の頭部３１よりも低く設定される。【選択図】図１
2016156443.tif 000002
【特許請求の範囲】
【請求項１】
玉を保持するためのポケット形成部と柱形成部が周方向に略等間隔で交互に形成される一対の環状部材と、前記一対の環状部材の前記柱形成部同士を結合するリベットと、を備える波形保持器であって、
前記柱形成部の内周側縁部及び外周側縁部の少なくとも一方に軸方向外側に延びるリブが形成され、
前記リブの高さが、前記リベットの頭部よりも低く設定されることを特徴とする波形保持器。
【請求項２】
内周面に外輪軌道面を有する外輪と、外周面に内輪軌道面を有する内輪と、前記外輪軌道面と前記内輪軌道面との間に転動自在に配置される複数の玉と、前記複数の玉を周方向に略等間隔に保持する波形保持器と、を備える玉軸受であって、
前記波形保持器が、請求項１に記載の波形保持器であることを特徴とする玉軸受。
【発明の詳細な説明】
【技術分野】
【０００１】
本発明は、波形保持器、及び波形保持器を備える玉軸受に関する。
【背景技術】
【０００２】
従来の波形保持器として、玉を保持するためのポケット形成部と柱形成部が周方向に略等間隔で交互に形成される一対の環状部材を備え、一対の環状部材の柱形成部同士をリベットでかしめ結合することにより、一対の環状部材を軸方向に結合するものが知られている（例えば、特許文献１参照）。
【０００３】
ところで、上記特許文献１に記載の波形保持器を備える転がり軸受が、偏心ないし傾きをもって使用される場合、一対の環状部材やリベットの強度が不足して、保持器が破損する可能性がある。
【０００４】
そして、上記強度不足を防止するため、一対の環状部材の柱形成部の内周側と外周側の少なくとも一方に、軸方向に張り出す張出部を設けて、保持器の強度を上げることが知られている（例えば、特許文献２、３参照）。
【先行技術文献】
【特許文献】
【０００５】
【特許文献１】特開２００８−１７５３００号公報
【特許文献２】特開２０１２−０２６５１８号公報
【特許文献３】特開２００３−１４８４８１号公報
【発明の概要】
【発明が解決しようとする課題】
【０００６】
しかしながら、軸受の省スペース化の流れにおいて、保持器に上記張出部を設けるには、寸法制約上十分なスペースを得ることができず、また形状が複雑であることから、プレス加工での成型が困難であり、実用化し難いという課題があった。また、リベットかしめ工程においてかしめ治具と保持器との干渉を回避することが難しく、リベットかしめ治具の強度が足りない場合があった。
【０００７】
本発明は、前述の事情に鑑みてなされたものであり、その目的は、波形保持器の強度を向上することができると共に、波形保持器を構成する環状部材をプレス加工で容易に成型することができ、また、リベットかしめ工程におけるかしめ治具と保持器との干渉を回避することができる波形保持器及び玉軸受を提供することにある。
【課題を解決するための手段】
【０００８】
本発明の上記目的は、下記の構成により達成される。
（１）玉を保持するためのポケット形成部と柱形成部が周方向に略等間隔で交互に形成される一対の環状部材と、一対の環状部材の柱形成部同士を結合するリベットと、を備える波形保持器であって、柱形成部の内周側縁部及び外周側縁部の少なくとも一方に軸方向外側に延びるリブが形成され、リブの高さが、リベットの頭部よりも低く設定されることを特徴とする波形保持器。
（２）内周面に外輪軌道面を有する外輪と、外周面に内輪軌道面を有する内輪と、外輪軌道面と内輪軌道面との間に転動自在に配置される複数の玉と、複数の玉を周方向に略等間隔に保持する波形保持器と、を備える玉軸受であって、波形保持器が、（１）に記載の波形保持器であることを特徴とする玉軸受。
【発明の効果】
【０００９】
本発明によれば、一対の環状部材の柱形成部の内周側縁部及び外周側縁部の少なくとも一方に軸方向外側に延びるリブが形成され、リブの高さが、リベットの頭部よりも低く設定されるため、波形保持器の強度を向上することができると共に、波形保持器を構成する環状部材をプレス加工で容易に成型することができる。また、リブの高さが、リベットの頭部よりも低く設定されるため、リベットかしめ工程におけるかしめ治具と保持器との干渉を回避することができる。
【図面の簡単な説明】
【００１０】
【図１】本発明に係る波形保持器の一実施形態が採用された玉軸受を説明する拡大断面図である。
【図２】図１に示す波形保持器のリベットの周辺の拡大側面図である。
【図３】本発明に係る波形保持器の一実施形態の第１変形例を説明する拡大断面図である。
【図４】本発明に係る波形保持器の一実施形態の第２変形例を説明する拡大断面図である。
【発明を実施するための形態】
【００１１】
本実施形態の玉軸受１０は、図１に示すように、内周面に外輪軌道面１１ａを有する外輪１１と、外周面に内輪軌道面１２ａを有する内輪１２と、外輪軌道面１１ａと内輪軌道面１２ａとの間に転動自在に配設される複数の玉１３と、複数の玉１３を周方向に略等間隔に保持する波形保持器２０と、を備える。
【００１２】
波形保持器２０は、図１及び図２に示すように、玉１３を保持するためのポケット形成部２２と柱形成部２３が周方向に略等間隔で交互に形成される一対の環状部材２１と、一対の環状部材２１の柱形成部２３同士を結合するリベット３０と、を備える。そして、一対の環状部材２１の軸方向に対向するポケット形成部２２間には、玉１３を転動自在に保持するポケット２２ａが形成されている。
【００１３】
リベット３０は、図１及び図２に示すように、一対の環状部材２１の柱形成部２３のリベット穴２３ａに挿通され、かしめ工程においてかしめ治具でその両端が塑性変形されることにより形成される頭部３１を有する。
【００１４】
そして、本実施形態では、図１及び図２に示すように、柱形成部２３の内周側縁部及び外周側縁部に軸方向外側に延びるリブ２４がそれぞれ形成されている。そして、リブ２４の高さＨは、リベット３０の頭部３１よりも低く設定されている。つまり、リブ２４は、リベット３０の頭部３１よりも軸方向外側に突出していない。
【００１５】
以上説明したように、本実施形態の玉軸受１０によれば、一対の環状部材２１の各柱形成部２３の内周側縁部及び外周側縁部に軸方向外側に延びるリブ２４がそれぞれ形成されるため、波形保持器２０の強度を向上することができる。また、リブ２４の高さＨが、リベット３０の頭部３１よりも低く設定されるため、波形保持器２０を構成する環状部材２１を従来の金属板のプレス加工に準ずる方法で容易に成型することができる。また、リブ２４の高さＨが、リベット３０の頭部３１よりも低く設定されるため、リベットかしめ工程におけるかしめ治具と環状部材２１のポケット形成部２２の外面との干渉を回避することができる。
【００１６】
また、本実施形態の第１変形例として、図３に示すように、リブ２４の角部を円弧面にしてもよい。
【００１７】
また、本実施形態の第２変形例として、図４に示すように、内周側のリブ２４を、軸方向外側且つ径方向内側に斜めに延びるように形成すると共に、外側側のリブ２４を、軸方向外側且つ径方向外側に斜めに延びるように形成してもよい。
【００１８】
なお、本発明は上記実施形態に例示したものに限定されるものではなく、本発明の要旨を逸脱しない範囲において適宜変更可能である。
例えば、上記実施形態では、リブ２４は、柱形成部２３の内周側縁部及び外周側縁部の両方に形成されているが、これに限定されず、柱形成部２３の内周側縁部及び外周側縁部の一方に形成されていてもよい。
また、上記実施形態では、リブ２４は、ポケット形成部２２の外面に接続するように形成されているが、これに限定されず、ポケット形成部２２の外面に接続していなくてもよい。また、リブ２４の立ち上げ部、及びリブ２４とポケット形成部２２の接続部は、角形状や曲面形状などであってもよい。
【符号の説明】
【００１９】
１０    玉軸受
１１    外輪
１１ａ  外輪軌道面
１２    内輪
１２ａ  内輪軌道面
１３    玉
２０    波形保持器
２１    環状部材
２２    ポケット形成部
２３    柱形成部
２４    リブ
３０    リベット
３１    頭部
Ｈ    リブの高さ
【図１】
2016156443.tif 000003
【図２】
2016156443.tif 000004
【図３】
2016156443.tif 000005
【図４】
2016156443.tif 000006